(57)【要約】【課題】修理作業を容易に行うことができる美容器を提供する。【解決手段】美容器１は、肌の美容のための電流を発生する電源部４１を備えたコア部４と、コア部４に着脱可能に取り付けられ、コア部４を覆うシェル部５と、を有している。シェル部５は、電源部４１に電気的に接続され、肌に押し当てながら移動させてマッサージを施すための第１電極５１１、５２１と、電源部４１と第１電極５１１、５２１を含む環状の電流経路を形成することができるようにして電源部４１に電気的に接続された第２電極５３１と、を有している。【選択図】図１５
2019130028.tif 000002
【特許請求の範囲】
【請求項１】
肌の美容のための電流を発生する電源部を備えたコア部と、
前記コア部に着脱可能に取り付けられ、前記コア部を覆うシェル部と、を有し、
前記シェル部は、
前記電源部に電気的に接続され、肌に押し当てながら移動させてマッサージを施すための第１電極と、
前記電源部と前記第１電極と人体とを含む環状の電流経路を形成することができるようにして前記電源部に電気的に接続された第２電極と、を有している、
美容器。
【請求項２】
前記コア部は、前記電源部を液密に封止する電源封止部と、前記電源封止部を保持するコア本体部と、を有し、
前記コア本体部は、前記電源部と前記第１電極とを接続する第１配線部と、前記電源部と前記第２電極とを接続する第２配線部と、を有している、請求項１に記載の美容器。
【請求項３】
前記コア本体部は、半割状の第１コア片と第２コア片とを有しており、前記第１配線部及び前記第２配線部は、前記第１コア片と前記第２コア片との間に配置されている、請求項２に記載の美容器。
【請求項４】
前記コア部は、液体を流通可能に構成された水抜き孔を有しており、前記シェル部は、前記水抜き孔と前記美容器の外部空間とを連通する連通口を有している、請求項２または３に記載の美容器。
【請求項５】
前記美容器は、更に、前記シェル部の外方に配置された回転可能な回転体を有している、請求項１〜４のいずれか１項に記載の美容器。
【請求項６】
前記回転体は前記コア部に着脱可能に取り付けられており、かつ、前記電源部に電気的に接続されている、請求項５に記載の美容器。
【発明の詳細な説明】
【技術分野】
【０００１】
本発明は、美容器に関する。
【背景技術】
【０００２】
肌の美容のためのマッサージ方法として、ヘラやレンゲ等の縁を肌に摺動させることにより血流やリンパの流れを促進し、肌の新陳代謝を高める「かっさ」と呼ばれる方法が知られている。この種のマッサージ方法には、「かっさ板」と呼ばれる板状の美容器が使用されることがある。
【０００３】
近年では、かっさ板の表面に電極を設け、かっさと同時に肌に微弱な電流を流すことができる美容器が提案されている。例えば、特許文献１には、本体と、前記本体の把持可能な部分に設けられた第１電極と、前記本体の一縁部に位置して凹状に湾曲した部分を有する第２電極と、を備え、前記第１電極及び前記第２電極は人体を介して電流を流すことが可能な外部回路を形成できるように構成されている美容器が記載されている。この美容器において、第１電極は本体の側面に、第２電極は本体の縁部にそれぞれ固定されている。また、本体の縁部には、更に、第３電極が設けられている。
【先行技術文献】
【特許文献】
【０００４】
【特許文献１】国際公開ＷＯ２０１４／２０８３２９号
【発明の概要】
【発明が解決しようとする課題】
【０００５】
特許文献１の美容器の外表面は、例えば、使用中の落下等の種々の理由によって損傷を受けることがある。しかし、特許文献１の美容器を用いてかっさを行う場合には、第１電極を手で把持して第２電極または第３電極を肌に押し当てながら移動させる必要がある。第２電極及び第３電極といった肌に接触させる部分が損傷を受けた場合、これらの電極が損傷したままかっさを行うと、肌へ不要なダメージを与えるおそれがある。
【０００６】
また、前述した第２電極及び第３電極に限らず、本体の外表面が損傷を受けた場合には、本体を把持する手等に要なダメージを与えるおそれがある。更に、本体の外表面が損傷していると、美容器の美観が損なわれるおそれもある。それ故、この種の美容器においては、電極を含めた本体の外表面の損傷は、たとえ小さな傷であってもない方がよい。
【０００７】
しかし、特許文献１の美容器において、第１電極や第２電極等の損傷を受けた部品を交換するためには本体を分解する必要があり、美容器の修理作業が煩雑である。
【０００８】
本発明は、かかる背景に鑑みてなされたものであり、修理作業を容易に行うことができる美容器を提供しようとするものである。
【課題を解決するための手段】
【０００９】
本発明の一態様は、肌の美容のための電流を発生する電源部を備えたコア部と、
前記コア部に着脱可能に取り付けられ、前記コア部を覆うシェル部と、を有し、
前記シェル部は、
前記電源部に電気的に接続され、肌に押し当てながら移動させてマッサージを施すための第１電極と、
前記電源部と前記第１電極と人体とを含む環状の電流経路を形成することができるようにして前記電源部に電気的に接続された第２電極と、を有している、
美容器にある。
【発明の効果】
【００１０】
前記美容器は、電源部を備えたコア部と、コア部に着脱可能に取り付けられたシェル部と、を有している。また、シェル部は、第１電極と第２電極とを有している。そのため、何らかの理由で第１電極や第２電極が損傷した場合に、シェル部を交換するという単純な作業により、美容器を容易に修復することができる。
【００１１】
また、前記美容器においては、シェル部をコア部から取り外した後、コア部を交換することもできる。そのため、例えば、美容器の外表面にコア部が露出している場合において、当該露出部分が損傷を受けた場合や、電源部に故障が発生した場合などに、コア部を交換するという単純な作業により、美容器を容易に修復することができる。
【００１２】
このように、前記美容器は、シェル部やコア部に損傷が生じた場合に、修理作業を容易に行うことができる。
【図面の簡単な説明】
【００１３】
【図１】実施例における、美容器の斜視図である。
【図２】実施例における、美容器の正面図である。
【図３】実施例の美容器における、凸状部及び凹状部の範囲を示す正面図である。
【図４】図３における、第２凸状部の拡大図である。
【図５】実施例における、美容器の上面図である。
【図６】実施例における、美容器の下面図である。
【図７】実施例における、美容器の右側面図である。
【図８】実施例における、美容器の左側面図である。
【図９】図１における、回転体を取り外した状態の第１頂部の拡大斜視図である。
【図１０】図２のX−X線矢視断面における、隆起部周辺の拡大図である。
【図１１】図５のXI−XI線矢視断面における、回転体周辺の拡大図である。
【図１２】図５のXI−XI線矢視断面における、電源部周辺の拡大図である。
【図１３】図１２のXIII−XIII線一部矢視断面図である。
【図１４】図１３における第１端子収容空間及び連通口の拡大図である。
【図１５】実施例の美容器における、シェル部の分解斜視図である。
【図１６】実施例の美容器における、コア部を第１コア片側から視た平面図である。
【図１７】図１６において第１コア片を取り除いた状態のコア部の平面図である。
【図１８】実施例の美容器における、通電経路を示す説明図である。
【図１９】図１８における、第２端子部の弾性片部周辺の拡大図である。
【図２０】図１８の図XX−XX線一部矢視断面図である。
【図２１】実施例の美容器における、コア部の分解斜視図である。
【図２２】実施例の美容器における、電源封止部の分解斜視図である。
【図２３】実施例のコア本体部における、端子収容空間を示す斜視図である。
【図２４】実施例のコア本体部における、第１開口及び第２開口を示す斜視図である。
【図２５】実施例のコア本体部における、第３開口及び第４開口を示す斜視図である。
【図２６】実施例の美容器における、コア本体部の下端の拡大斜視図である。
【図２７】実施例の美容器における、第１コア片を厚み方向の外側から視た平面図である。
【図２８】実施例の美容器における、第１コア片を厚み方向の内側から視た斜視図である。
【図２９】図２７におけるXXIX−XXIX線矢視断面図である。
【図３０】実施例の美容器における、第２コア片を厚み方向の外側から視た平面図である。
【図３１】実施例の美容器における、第２コア片を厚み方向の内側から視た斜視図である。
【図３２】実施例の美容器における、第１シェル片の平面図である。
【図３３】図３２のXXXIII−XXXIII線矢視断面図である。
【図３４】実施例の美容器における、第２シェル片の平面図である。
【図３５】実施例の美容器における、第３シェル片の右側面図である。
【図３６】図３５のXXXVI−XXXVI線矢視断面図である。
【図３７】図３６のXXXVII−線XXXVII一部矢視断面図である。
【図３８】実施例の美容器における、分配線部の斜視図である。
【発明を実施するための形態】
【００１４】
前記美容器は、種々の形態を採りうる。例えば、美容器は、板状を呈していてもよいし、棒状や球状等の、板状以外の形状を呈していてもよい。かっさによるマッサージ効果をより高める観点からは、美容器は板状を呈していることが好ましい。この場合には、板状形状の周縁部において肌をより強く押圧し、かっさによるマッサージ効果をより高めることができる。
【００１５】
ここで、「板状」には、平板と、一般的な感覚として板と認められる程度に平板の少なくとも一部を湾曲してなる形状とが含まれる。例えば、板状形状の主面部、つまり、周縁部よりも内側の部分は、平坦であってもよいし、厚み方向に若干膨出し、または若干陥没していてもよい。また、当該部分の表面には、凹凸が設けられていてもよい。
【００１６】
前記美容器において、シェル部は、コア部の全体を覆っていてもよいし、コア部の一部を覆っていてもよい。また、シェル部は、単一の部品から構成されていてもよいし、複数の部品から構成されていてもよい。
【００１７】
シェル部は、コア部に着脱可能に装着されている。シェル部が単一の部品から構成されている場合には、シェル部は、コア部に直接装着されている。シェル部が複数の部品から構成されている場合には、シェル部の各部品は、コア部に直接装着されていてもよいし、シェル部の他の部品を介してコア部に装着されていてもよい。また、シェル部の装着方法としては、例えば、スナップフィット、ボルト等の締結部材を介した締結等の種々の方法を採用することができる。
【００１８】
第１電極及び第２電極は、シェル部の表面に露出するようにして配置されている。第１電極及び第２電極は、例えば、第２電極を手で把持し、第１電極を肌に押し当てながら移動させることにより、第１電極、第２電極、電源部及び人体を含む環状の電流経路を形成することができる。この環状の電流経路に微弱な電流を流すことにより、第１電極によるマッサージの効果と、微弱な電流による効果とを相乗的に作用させ、高い美容効果を得ることができる。
【００１９】
第１電極及び第２電極の配置は、前述した環状の電流経路を形成することができれば、特に限定されることはない。例えば、シェル部が単一の部品から構成されている場合には、シェル部の表面上において、第１電極と第２電極とを互いに離間して配置すればよい。また、シェル部が複数の部品から構成されている場合には、第１電極と第２電極とを同一の部品上に配置してもよいし、別々の部品上に配置してもよい。
【００２０】
また、第１電極の数は、１個であってもよいし、２個以上であってもよい。第１電極を２個以上設ける場合には、例えば、美容器の内部において、第１電極同士を電気的に接続すればよい。同様に、第２電極の数も、１個であってもよいし、２個以上であってもよい。第２電極を２個以上設ける場合には、例えば、美容器の内部において、第２電極同士を電気的に接続すればよい。
【００２１】
電源部はコア部に設けられており、第１電極及び第２電極に電気的に接続されている。電源部としては、例えば、一次電池、二次電池、太陽電池などを使用することができる。
【００２２】
前記美容器は、例えば、美容器外部から電源部への液体の進入を防止するための防水構造を有していてもよい。この場合には、例えば浴室等の水濡れし得る環境において美容器を使用する場合に、電源部の水濡れによる故障を防止することができる。また、使用者がリラックスできる浴室等の環境において美容器を使用することにより、美容効果をより高めることが期待できる。
【００２３】
前述した防水構造としては、例えば、コア部全体を液密に封止する構造を採用してもよい。また、コア部における電源部の近傍のみを液密に封止する構造を採用することもできる。例えば、コア部は、電源部を液密に封止する電源封止部と、電源封止部を保持するコア本体部と、を有し、
コア本体部は、電源部と第１電極とを接続する第１配線部と、電源部と第２電極とを接続する第２配線部と、を有していてもよい。
【００２４】
この場合には、コア部全体を液密に封止する場合に比べて簡素な構造で電源部の防水を行うことができる。それ故、美容器の組み立て作業をより簡素化するとともに、製造コストをより低減することができる。
【００２５】
コア本体部は、半割状の第１コア片と第２コア片を有しており、第１配線部及び第２配線部は、第１コア片と第２コア片との間に配置されていてもよい。この場合には、第１コア片と第２コア片との間に第１配線部及び第２配線部を挟み込むという簡素な作業により、第１配線部及び第２配線部をコア本体部に組み込むことができる。それ故、美容器の組み立て作業をより簡素化することができる。
【００２６】
ここで、半割状とは、第１コア片と第２コア片とが概ね同一の形状となるようにコア本体部を分割した形状をいう。例えば、コア本体部が板状の場合には、コア本体部を厚み方向における中央位置またはその近傍において分割してなる各部を、第１コア片及び第２コア片とすることができる。
【００２７】
コア部は、液体を流通可能に構成された水抜き孔が形成されており、シェル部は、水抜き孔と美容器の外部空間とを連通する連通口を有していてもよい。この場合には、コア部とシェル部との間に液体が浸入した場合に、水抜き孔によって当該液体を連通口へ導くことができる。そして、コア部内の液体を連通口から美容器の外部へ速やかに排出することができる。その結果、第１電極と第２電極とが液体を介して短絡している状態を速やかに解除し、第１電極、第２電極、電源部及び人体を含む環状の電流経路を回復させることができる。
【００２８】
前記美容器は、更に、シェル部の外方に配置された回転可能な回転体を有していてもよい。この場合、前記美容器は、シェル部を肌に押し当てながら移動させるかっさと、回転体を肌に押し当てながら転動させる方法との２種類のマッサージを実施することができる。
【００２９】
これらのマッサージは、肌に与える刺激の強さが異なっている。そのため、前記美容器は、例えば目元や頬骨に沿う部分などの比較的皮膚の薄い部分に回転体によるマッサージを施して比較的柔らかな刺激を与え、頬やあご等の比較的皮膚の厚い部分にかっさを施して比較的強い刺激を与える等、マッサージを施す部位に応じて適切な刺激を与えることができる。それ故、前記美容器に回転体を設けることにより、使い勝手をより向上させることができる。
【００３０】
回転体はコア部に着脱可能に取り付けられており、かつ、電源部に電気的に接続されていてもよい。この場合、回転体を肌に押し当てることによって肌に微弱な電流を流すことができる。そのため、回転体による物理的なマッサージ効果と微弱な電流による刺激とを相乗的に作用させ、より美容効果を高めることができる。また、回転体の表面が何らかの理由で損傷を受けた際に、回転体を交換するという単純な作業により美容器の修理を行うことができる。
【実施例】
【００３１】
前記美容器の実施例を、図１〜図３７を用いて説明する。本例の美容器１は、図１５に示すように、肌の美容のための電流を発生する電源部４１（図１８参照）を備えたコア部４と、コア部４に着脱可能に取り付けられ、コア部４を覆うシェル部５と、を有している。シェル部５は、電源部４１に電気的に接続された第１電極５１１、５２１と第２電極５３１と、を有している。第１電極５１１、５２１は、肌に押し当てながら移動させてマッサージを施すことができるように配置されている。第２電極５３１は、電源部４１と、第１電極５１１、５２１と、人体とを含む環状の電流経路を形成することができるようにして電源部４１に電気的に接続されている。なお、図１８においては、便宜上、コア部４の構造を簡略化して記載した。
【００３２】
本例の美容器１は、図１〜図８に示すように、板状を呈する本体２と、本体２を、その厚み方向から視た場合の周縁部２１から外方に突出するように配置された２個の回転体３と、を有している。美容器１の本体２は、図２に示すように、正面視においてハート形を呈している。即ち、本体２は、正面視において略半円状を呈するように外方に膨出し、互いに並んで配置された２か所の頂部２２、２３と、頂部２２、２３から延設され、先端に近いほど幅が狭くなっている尾部２４とを有している。２個の回転体３は、頂部２２、２３のうち一方の頂部２２から外方に突出するように配置されている。
【００３３】
以下においては、便宜上、２か所の頂部２２、２３のうち回転体３が突出している頂部を第１頂部２２といい、他方の頂部を第２頂部２３という。また、２か所の頂部２２、２３の並び方向を幅方向Ｙといい、並び方向における第１頂部２２側を右方Ｙ１、第２頂部２３側を左方Ｙ２という。また、幅方向Ｙ及び厚み方向の両方に直交する方向を上下方向Ｚといい、上下方向Ｚにおける頂部２２、２３側を上方Ｚ１、尾部２４側を下方Ｚ２という。これらの美容器１の方向に関する記載は便宜上のものであり、美容器１を使用する際の向きとは何ら関係がない。
【００３４】
また、前述した「正面視」とは、図２に示す平面視、つまり、第１頂部２２及び第２頂部２３が上方、尾部２４が下方、回転体３が右方にそれぞれ向いた状態で、本体２の投影面積が最大となるように視た平面視をいう。
【００３５】
本体２は、図２に示すように、頂部２２、２３側から尾部２４側に近づくにつれて、右方Ｙ１、つまり、幅方向Ｙにおける第１頂部２２側へ湾曲している。
【００３６】
本体２の外表面は、正面視における本体２の輪郭を含む周縁部２１と、周縁部２１に囲まれた２枚の主面部２０と、を有している。本体２の周縁部２１は、図３に示すように、正面視における輪郭が凸状に湾曲した６か所の凸状部２１１（第１凸状部２１１ａ〜第６凸状部２１１ｆ）を有している。また、周縁部２１は、正面視における輪郭が凹状に湾曲し凸状部２１１に連なる２か所の凹状部２１２（第１凹状部２１２ａ及び第２凹状部２１２ｂ）を有している。なお、図３においては、便宜上、回転体３を簡略化して記載した。
【００３７】
第１凸状部２１１ａは、本体２の周縁部２１における、第１頂部２２の上端２２１よりも右方Ｙ１に配置されている。図３に示すように、正面視における第１凸状部２１１ａの輪郭は、第１頂部２２の上端２２１から下方Ｚ２に向かうにつれて右方Ｙ１へ膨らみ、その後、左方Ｙ２へ後退する凸状を呈している。また、第１凸状部２１１ａの外方には、２個の回転体３が配置されている。
【００３８】
第１凸状部２１１ａの下方Ｚ２には、第１凹状部２１２ａが連なっている。第１凹状部２１２ａは、本体２の周縁部２１における第１頂部２２から尾部２４までの範囲に亘って配置されている。正面視における第１凹状部２１２ａの輪郭は、第１凸状部２１１ａの下端２１３から下方Ｚ２に向かうにつれて左方Ｙ１へ後退し、その後、右方Ｙ２へ膨らむ凹状を呈している。
【００３９】
また、第１凸状部２１１ａの左方Ｙ２には、第２凸状部２１１ｂが連なっている。第２凸状部２１１ｂは、本体２の周縁部２１における第１頂部２２の上端２２１よりも左方Ｙ２に配置されている。正面視における第２凸状部２１１ｂの輪郭は、第１頂部２２の上端２２１から第１頂部２２と第２頂部２３との間へ向かって延設されており、図３に示すように、第１頂部２２の上端２２１と第２凸状部２１１ｂの左端２１４との中間部分がわずかに外方に膨らんだ凸状を呈している。また、第２凸状部２１１ｂの輪郭は、第１凸状部２１１ａよりも大きな曲率半径を有している。なお、図３においては、第２凸状部２１１ｂが凸状に湾曲した輪郭を有していることを明確にするため、第１頂部２２の上端２２１と第２凸状部２１１ｂの左端２１４とを結ぶ直線Ｌを破線にて表示した。また、図３においては、便宜上、回転体３を簡略化して記載した。
【００４０】
図３に示すように、第２凸状部２１１ｂの左方Ｙ２には、第２凹状部２１２ｂが連なっている。第２凹状部２１２ｂは、第１頂部２２と第２頂部２３との間に配置されている。正面視における第２凹状部２１２ｂの輪郭は、第２凸状部２１１ｂの左端２１４から左方Ｙ２へ向かうにつれて下方Ｚ２へ陥没し、その後上方Ｚ１へ突出する凹状を呈している。
【００４１】
第２凹状部２１２ｂの左方Ｙ２には、第３凸状部２１１ｃが連なっている。第３凸状部２１１ｃは、第２凹状部２１２ｂの左端２１５から、第２頂部２３の上端２３１までの範囲に亘って配置されている。正面視における第３凸状部２１１ｃの輪郭は、第２凹状部２１２ｂの左端２１５と第２頂部２３の上端２３１との中間部分が外方に膨らんだ凸状を呈している。
【００４２】
第３凸状部２１１ｃの左方Ｙ２には、第４凸状部２１１ｄが連なっている。第４凸状部２１１ｄは、第２頂部２３の上端２３１から後述する第１シェル片５１と透光部６１との合わせ目５０４までの範囲に亘って配置されている。正面視における第３凸状部２１１ｃの輪郭は、第２頂部２３の上端２３１と合わせ目５０４との中間部分が外方に膨らんだ凸状を呈している。
【００４３】
第４凸状部２１１ｄの下方Ｚ２には、第５凸状部２１１ｅが連なっている。第５凸状部２１１ｅは、第１シェル片５１と透光部６１との合わせ目５０４から後述する透光部６１と第３シェル片５３との合わせ目５０５までの範囲に亘って配置されている。正面視における第５凸状部２１１ｅの輪郭は、合わせ目５０４と合わせ目５０５との中間部分が外方（つまり、右方Ｙ１）へ膨らんだ凸状を呈している。
【００４４】
第６凸状部２１１ｆは、本体２の周縁部２１の残部、即ち、透光部６１と第３シェル片５３との合わせ目５０５から尾部２４の下端２４１を介して第１凹状部２１２ａの下端２１６までの範囲に亘って配置されている。正面視における第６凸状部２１１ｆの輪郭は、尾部２４の下端２４１を頂点とする凸状を呈している。
【００４５】
また、本体２は、図２に示すように、正面視における周縁部２１の内側に主面部２０を有している。主面部２０は、尾部２４から頂部２２、２３に向かって延設された複数の隆起部２００を有している。複数の隆起部２００は、正面視において、本体２の輪郭に沿って湾曲した曲線状を呈している。また、図１０に示すように、各隆起部２００は、幅方向Ｙの断面において円弧状の輪郭を有している。
【００４６】
図１、図３及び図１５に示すように、本体２の外表面には、シェル部５が露出している。本例のシェル部５は、３個のシェル片５１〜５３を有している。第１シェル片５１は、本体２の上部に配置されている。図３に示すように、第１シェル片５１には、第１凸状部２１１ａにおける上方Ｚ１の部分、第２凹状部２１２ｂ、第２凸状部２１１ｂ、第３凸状部２１１ｃ及び第４凸状部２１１ｄが含まれている。また、第１シェル片５１の表面には、第１電極５１１が配置されている。
【００４７】
図３に示すように、第２シェル片５２は、本体２の右方Ｙ１の部分に配置されている。第２シェル片５２には、第１凸状部２１１ａにおける下方Ｚ２の部分と第１凹状部２１２ａとが含まれている。また、第２シェル片５２の表面には、第１電極５２１が配置されている。
【００４８】
また、図３に示すように、本体２の周縁部２１における第２頂部２３の下方Ｚ２には、後述する透光部６１が配置されている。透光部６１は、本体２の外表面に露出している。美容器１の外部から透光部６１に入射した光は、電源部４１としての太陽電池セル４１１（図１２参照）に照射される。また、透光部６１には、第５凸状部２１１ｅが含まれている。
【００４９】
図３及び図１５に示すように、本体２の外表面における第１シェル片５１、第２シェル片５２及び透光部６１以外の部分は、第３シェル片５３から構成されている。つまり、第３シェル片５３には、厚み方向の両面に配置された２枚の主面部２０と、第６凸状部２１１ｆと図３５が含まれている。第３シェル片５３の表面には、第２電極５３１が配置されている。
【００５０】
図２に示すように、本体２における第１頂部２２の外方、より具体的には第１凸状部２１１ａの外方には、２個の回転体３が設けられている。２個の回転体３は、互いに間隔を開けて配置されている。各回転体３の回転中心３１は、本体２の周縁部２１から外方に突出した直線であり、図３に示すように、当該回転体３の重心３１０を貫くように配置されている。また、各回転体３の回転中心３１は、本体２から外方へ向かうほど互いの間隔が拡がるように配置されている。
【００５１】
本例における回転体３同士の間隔、即ち、一方の回転体３の表面と他方の回転体３の表面との距離の最小値は、例えば７〜１０ｍｍの範囲から適宜設定することができる。また、図２に示す回転体３の回転中心３１同士のなす角θは、４０〜７０度の範囲から適宜設定することができる。本例の美容器１においては、回転体３同士の間隔は８．３ｍｍであり、回転体３の回転中心３１同士のなす角θは５３度である。
【００５２】
また、図７に示すように、各回転体３における回転中心３１は、本体２の厚み方向と直交する方向に延設されている。即ち、各回転体３における回転中心３１の延設方向と、本体２の厚み方向とのなす角度は９０度である。
【００５３】
各回転体３は、図１及び図２に示すように、球状を呈している。本例の回転体３は、より具体的には、図１５に示すように、涙滴形状における尖った部分を切除したような形状、つまり、先端側の半分が半球状を呈し、当該半球状部分から本体２側へ向かうにつれて、回転体３を完全な球状とした場合に比べて緩やかに外径が小さくなるような形状を有している。回転体３の直径、即ち、回転中心３１と直交する方向における外径の最大値は、例えば、１０〜２０ｍｍの範囲から適宜設定することができる。回転体３の表面は、多数の三角形状を呈する平面から構成されている。回転体３の表面には、後述する第３電極３１１が設けられている。
【００５４】
次に、美容器１の内部構造をより詳細に説明する。図１５に示すように、美容器１の本体２は、電源部４１（図１２参照）を備えたコア部４と、コア部４を覆うシェル部５と、を有している。図２に示すように、本体２の外表面には、シェル部５を構成する第１シェル片５１、第２シェル片５２及び第３シェル片５３と、透光部６１（後述）とが露出している。図１に示すこれらの部品の合わせ目５０１〜５０５は、液体が流通可能に構成されており、シェル部５の内側と美容器１の外部空間とを連通する連通口５０としての機能を有している。
【００５５】
本例のコア部４は、電源部４１としての太陽電池セル４１１を有している。また、コア部４は、図１５〜図１７に示すように、電源封止部６と、電源封止部６を保持するコア本体部７と、を有している。電源封止部６は、図１２に示すように、電源部４１としての太陽電池セル４１１を液密に封止している。
【００５６】
電源封止部６は、図３、図１２及び図２２に示すように、本体２の周縁部２１における第２頂部２３の下方Ｚ２に露出した透光部６１と、透光部６１に覆われたセルホルダー６３と、透光部６１とセルホルダー６３との間に介在するシール材６２と、を有している。透光部６１は、透明樹脂より構成されており、外光を透過させることができる。
【００５７】
図１２及び図２２に示すように、透光部６１の上方Ｚ１の端部６１１は、締結部材としてのネジ６１２を介してセルホルダー６３の上方Ｚ１の端部６３１に締結されている。また、透光部６１の下方Ｚ２の端部６１３は、締結部材としてのネジ６１４を介してセルホルダー６３の下方Ｚ２の端部６３４に締結されている。
【００５８】
セルホルダー６３は、上下方向Ｚにおける中間部に、コア本体部７側へ突出した締結板６３２、６３３を有している。締結板６３２、６３３は、図１３及び図２１に示すように、コア本体部７における第１コア片７ａと第２コア片７ｂ（後述）との間に狭持されており、締結部材としてのネジ６３５（図１３参照）によりコア本体部７に締結されている。
【００５９】
また、図１２及び図２２に示すように、セルホルダー６３における、コア本体部７と対面する部分には、第１配線部７２及び第２配線部７３が取り付けられている。第１配線部７２は締結部材としてのネジ７２２を介してセルホルダー６３に締結されている。また、第２配線部７３は第１配線部７２よりも下方Ｚ２に配置されており、締結部材としてのネジ７３２を介してセルホルダー６３に締結されている。
【００６０】
図１２及び図２２に示すように、セルホルダー６３には、電源部４１としての太陽電池セル４１１が保持されている。太陽電池セル４１１は、透光部６１から入射した光によって、微弱な電流を発生させることができる。
【００６１】
図１８及び図２２に示すように、太陽電池セル４１１は、上下方向Ｚの両端に端子４１２、４１３を有している。太陽電池セル４１１の上方Ｚ１に設けられた端子４１２は、図１２及び図１８に示すように、ネジ７２２の先端と接触している。これにより、太陽電池セル４１１が、上方Ｚ１の端子４１２及びネジ７２２を介して第１配線部７２と電気的に接続されている。
【００６２】
また、太陽電池セル４１１の下方Ｚ２に設けられた端子４１３は、図１２及び図１８に示すように、ネジ７３２の先端と接触している。これにより、太陽電池セル４１１が、下方Ｚ２の端子４１３及びネジ７３２を介して第２配線部７３と電気的に接続されている。
【００６３】
図１６及び図１７に示すように、コア本体部７は、正面視において、美容器１の外形と同様のハート形を呈している。図２１に示すように、コア本体部７は、半割状の第１コア片７ａ（図２７〜図２９参照）と第２コア片７ｂ（図３０及び図３１参照）とを有している。
【００６４】
より具体的には、第１コア片７ａ及び第２コア片７ｂは、コア本体部７が厚み方向において概ね半分に分割された形状を有しており、第１コア片７ａの厚みは第２コア片７ｂよりも薄くなっている。第１コア片７ａは、図１６に示す締結部材としてのネジ７０１ａ〜７０１ｇを介して第２コア片７ｂに締結されている。また、図１７及び図２１に示すように、第１コア片７ａと第２コア片７ｂとの間には、両者を接着する接着シート７０２が介在している。
【００６５】
図９及び図３１に示すように、第２コア片７ｂは、第１頂部２２に相当する部分から外方に突出した筒状部７０３を有している。筒状部７０３は円筒状を呈している。筒状部７０３には、後述するように回転体３を保持するためのシャフト８１（図１１参照）が挿通されている。
【００６６】
図２３に示すように、コア本体部７の左側面、つまりセルホルダー６３と対面する部分には、右方Ｙ１に陥没した２か所の端子収容部７１１、７１２が設けられている。図１８及び図２４に示すように、コア本体部７の上部、つまり第１シェル片５１と対面する部分には、第１開口７０４と、第１開口７０４よりも回転体３側（つまり、右方Ｙ１）に配置された第２開口７０５とが設けられている。また、図１８及び図２５に示すように、コア本体部７の右側面、つまり第２シェル片５２と対面する部分には、第３開口７０６と、第３開口７０６の下方Ｚ２に配置された第４開口７０７とが設けられている。
【００６７】
２か所の端子収容部７１１、７１２のうち上方Ｚ１に配置された第１端子収容部７１１とセルホルダー６３との間には、図１２に示すように、第１配線部７２（後述）を収容するための第１端子収容空間Ｓ１が形成されている。第１端子収容空間Ｓ１は、図２８に示すように、コア本体部７の第１開口７０４に連通している。
【００６８】
図１８に示すように、第１端子収容空間Ｓ１及び第１開口７０４には、第１配線部７２（後述）が収容されている。また、第１開口７０４内には、後述する第１シェル片５１の第１端子片５１２（図３２参照）が挿入されている。第１端子片５１２は、図１８及び図２０に示すように、第１開口７０４内において第１配線部７２と当接している。
【００６９】
図２３に示すように、第２端子収容部７１２は、第１端子収容部７１１よりも下方Ｚ２に配置されている。第２端子収容部７１２とセルホルダー６３との間には、図１２に示すように、第２配線部７３（後述）を収容するための第２端子収容空間Ｓ２が形成されている。図１８に示すように、第２端子収容空間Ｓ２には第２配線部７３が収容されている。
【００７０】
コア本体部７の上方Ｚ１に設けられた第２開口７０５は、図２８に示すように第３開口７０６に連通している。図１８に示すように、第２開口７０５及び第３開口７０６を含む分配線収容空間７５０（図２８参照）には、後述する分配線部７５が収容されている。図１８に示すように、第２開口７０５内には、第１シェル片５１の第２端子片５１３（図３２参照）が挿入されている。第２端子片５１３は、第２開口７０５内において分配線部７５に当接している。
【００７１】
また、コア本体部７は、第１端子収容空間Ｓ１に連なった複数の切り欠き７１３（７１３ａ、７１３ｂ）と、第２端子収容空間Ｓ２に連なった複数の切り欠き７１４（７１４ａ、７１４ｂ）と、を有している。具体的には、図１６、図２３及び図２７に示すように、第１コア片７ａにおけるセルホルダー６３と対面する位置には、第１端子収容空間Ｓ１に連なった２か所の切り欠き７１３ａと、第２端子収容空間Ｓ２に連なった２か所の切り欠き７１４ａとが設けられている。これらの切り欠き７１３ａ、７１４ａは、上下方向Ｚに間隔をあけて配置されている。
【００７２】
図２３及び図３０に示すように、第２コア片７ｂにおけるセルホルダー６３と対面する位置には、第１コア片７ａと同様に、第１端子収容空間Ｓ１に連なった２か所の切り欠き７１３ｂと、第２端子収容空間Ｓ２に連なった２か所の切り欠き７１４ｂとが設けられている。これらの切り欠き７１３ｂ、７１４ｂは、上下方向に間隔をあけて配置されている。
【００７３】
また、コア本体部７は、第３シェル片５３と対面する部分に、上下方向Ｚの全長に亘って延設された溝７４（７４ａ、７４ｂ）を有している。具体的には、図２７に示すように、第１コア片７ａにおける第３シェル片５３に対面する部分には、２本の溝７４ａが設けられている。図２７及び図２９に示すように、これらの溝７４ａは、上下方向Ｚの中間部に深さが段階的に変化する段部７４１ａを有しており、段部７４１ａの下方Ｚ２における溝７４ａの深さは段部７４１ａの上方Ｚ１における溝７４ａの深さよりも深くなっている。
【００７４】
また、図２９に示すように、段部７４１ａには、後述する第３シェル片５３のガイド突起５３３（図３６及び図３７参照）を挿入するためのガイド突起挿入孔７４２ａが設けられている。図３７に示すように、ガイド突起挿入孔７４２ａには、ガイド突起５３３が下方Ｚ２から挿入されている。
【００７５】
また、図３０に示すように、第２コア片７ｂにおける第３シェル片５３に対面する部分には、２本の溝７４ｂが設けられている。溝７４ｂは、上下方向Ｚにおける中間部に、深さが段階的に変化する段部７４１ｂを有している。第２コア片７ｂの溝７４ｂの構成は、第１コア片７ａの溝７４ａと同様である。
【００７６】
即ち、溝７４ｂは、上下方向Ｚにおける中間部に、深さが段階的に変化する段部７４１ｂを有している。図には示さないが、段部７４１ｂの下方Ｚ２における溝７４ｂの深さは段部７４１ｂの上方Ｚ１における溝７４ｂの深さよりも深くなっている。また、段部７４１ｂにはガイド突起挿入孔７４２ｂが設けられており、ガイド突起挿入孔７４２ｂには後述する第３シェル片５３のガイド突起５３３が下方Ｚ２から挿入されている。
【００７７】
図１４に一例を示すように、本例のコア本体部７に設けられた第１端子収容空間Ｓ１、第２端子収容空間Ｓ２及び切り欠き７１３（７１３ａ、７１３ｂ）、７１４（７１４ａ、７１４ｂ）は、液体を流通可能に構成されている。また、例えば図１０に示すように、第１コア片７ａ及び第２コア片７ｂに設けられた溝７４（７４ａ、７４ｂ）は、液体を流通可能に構成されている。第１端子収容空間Ｓ１、第２端子収容空間Ｓ２、切り欠き７１３、７１４及び溝７４は、美容器１の内部に浸入した液体を、連通口５０を介して美容器１の外部へ排出する水抜き孔４０としての機能を有している。
【００７８】
例えば、８か所の切り欠き７１３、７１４の周辺には、第１シェル片５１と第３シェル片５３（後述）との合わせ目５０２（図１３及び図１４参照）や、第３シェル片５３と透光部との間の合わせ目５０５（図１参照）が配置されている。切り欠き７１３、７１４は、これらの合わせ目５０２、５０３を含む、連通口５０としてのシェル片同士の合わせ目５０１〜５０３（図１参照）及びシェル部５と透光部６１との合わせ目５０４、５０５を介して美容器１の外部空間に連通している。
【００７９】
そのため、本例の美容器１は、第１端子収容空間Ｓ１、第２端子収容空間Ｓ２及びこれらに連なる切り欠き７１３、７１４内に浸入した液体を、前述した連通口５０から美容器１の外部へ排出することができる。このように、本例の美容器１は、コア本体部７に設けられた端子収容空間Ｓ１、Ｓ２及び切り欠き７１３、７１４を、水抜き孔４０として機能させることができる。
【００８０】
また、図には示さないが、第１コア片７ａ及び第２コア片７ｂに設けられた溝７４（７４ａ、７４ｂ）の上端の周辺には、第１シェル片５１と第３シェル片５３との合わせ目５０２が配置されている。また、溝７４の下端の周辺には、第２シェル片５２と第３シェル片５３との合わせ目５０３や、透光部６１と第３シェル片５３との合わせ目５０４が配置されている。
【００８１】
そのため、本例の美容器１は、コア本体部７の溝７４に浸入した液体を、前述した合わせ目５０２〜５０４を含む連通口５０から美容器１の外部へ排出することができる。このように、本例の美容器１は、コア本体部７に設けられた溝７４を、水抜き孔４０として機能させることができる。
【００８２】
図１８及び図２１に示すように、第１コア片７ａと第２コア片７ｂとの間には、電源部４１と第１電極５１１とを接続する第１配線部７２（図２２参照）と、電源部４１と第２電極５３１とを接続する第２配線部７３（図２２参照）とが配置されている。第１配線部７２の一端７２１は、図１２及び図１８に示すように第１端子収容空間Ｓ１内に配置されており、締結部材としてのネジ７２２によりセルホルダー６３に締結されている。また、ネジ７２２の先端は、セルホルダー６３を貫通し、太陽電池セル４１１の上方Ｚ１の端子４１２に接触している。
【００８３】
図１７及び図１８に示すように、第１配線部７２の他端７２３は、第１コア片７ａと第２コア片７ｂとの間に形成された第１開口７０４内に配置されている。図２４に示すように第１開口７０４はコア本体部７の上方Ｚ１に開口している。また、図１８に示すように第１開口７０４内には第１シェル片５１の第１端子片５１２（後述）が挿入されている。そして、図２０に示すように、第１配線部７２は、締結部材としてのネジ７０１ａにより第１端子片５１２に締結されている。第１シェル片５１は、後述するように、その全面に第１電極５１１としての導電性めっき膜を有している。そのため、第１配線部７２と第１端子片５１２とを締結することにより、第１電極５１１と電源部４１とを第１配線部７２を介して電気的に接続することができる。
【００８４】
図１２、図１８及び図２１に示すように、第２配線部７３の一端７３１は、第２端子収容空間Ｓ２内に配置されており、締結部材としてのネジ７３２によりセルホルダー６３に締結されている。ネジ７３２の先端は、セルホルダー６３を貫通し、太陽電池セル４１１の下方Ｚ２の端子４１３に接触している。
【００８５】
また、第２配線部７３は、第２端子収容部７１２から下方Ｚ２に延設されている。図１９及び図２２に示すように、第２配線部７３の先端には弾性片部７３３が設けられている。弾性片部７３３は、コア本体部７と第３シェル片５３との間に配置されており、第３シェル片５３によって押圧されコア本体部７側に弾性変形している。そして、弾性片部７３３は、この弾性変形に対する反発力によって、図１９に示すように第３シェル片５３の内表面に押し付けられている。
【００８６】
後述するように、第３シェル片５３は、その全面に第２電極５３１としての導電性めっき膜を有している。そのため、第３シェル片５３の内表面に弾性片部７３３を当接させることにより、第２配線部７３を介して第２電極５３１と電源部４１とを電気的に接続することができる。また、本例のように、第２配線部７３の先端に、コア本体部７の表面に露出した弾性片部７３３を設けることにより、シェル部５をコア部４に取り付けるという単純な作業によって第２電極５３１と第２配線部７３とを電気的に接続することができる。
【００８７】
本例のコア本体部７は、更に、電源部４１から流れる微弱な電流を第２シェル片５２に設けられた第１電極５２１及び回転体３に設けられた第３電極３１１に分配する分配線部７５（図３８参照）を有している。図１７及び図２１に示すように、分配線部７５は、第１コア片７ａと第２コア片７ｂとの間に形成された分配線収容空間７５０に配置されている。また、図２８に示すように、分配線収容空間７５０には、コア本体部７の上方Ｚ１、つまり、第１シェル片５１側に開口した第２開口７０５と、幅方向Ｙの右方Ｙ１、つまり、第２シェル片５２側に開口した第３開口７０６とが含まれている。
【００８８】
図１８に示すように、第２開口７０５内には、分配線部７５の左方Ｙ２の端部７５１と、第１シェル片５１の第２端子片５１３（後述）とが配置されている。また、第３開口７０６には、分配線部７５の右方Ｙ１の端部７５２と、第２シェル片５２の第３端子片５２２（後述）とが配置されている。
【００８９】
分配線部７５は、第１シェル片５１の第２端子片５１３と、第２シェル片５２の第３端子片５２２とのそれぞれに、締結部材としてのネジ７０１ｂ、７０１ｃ（図１６参照）を介して締結されている。第２シェル片５２は、後述するように、その全面に第１電極５２１としての導電性めっき膜を有している。そのため、分配線部７５と第２端子片５１３とを締結することにより、第２シェル片５２に設けられた第１電極５２１と電源部４１とを分配線部７５を介して電気的に接続することができる。
【００９０】
また、図１８及び図３８に示すように、分配線部７５は、回転体３を保持するためのシャフト８１（後述）を保持する２か所のシャフト保持凹部７５３と、２か所のシャフト保持凹部７５３の間から外方に延設された締結部７５４と、を有している。２か所のシャフト保持凹部７５３は、図１１及び図１８に示すように、シャフト８１に当接している。
【００９１】
図１１に示すように、シャフト８１は、後述するベアリング８２及びベアリングホルダー８３を介して、回転体３の全面に設けられた第３電極３１１としての導電性めっき膜に電気的に接続されている。それ故、分配線部７５とシャフト８１とを当接させることにより、第３電極３１１と分配線部７５とを電気的に接続することができる。そして、図１８に示すように、第３電極３１１と電源部４１とを電気的に接続することができる。
【００９２】
また、図１８に示すように、締結部７５４は、締結部材としてのネジ７０１ｇ（図１６参照）を介してコア本体部７に締結されている。締結部７５４をコア本体部７に締結することにより、シャフト保持凹部７５３とシャフト８１とを確実に当接させ、両者を電気的に接続することができる。
【００９３】
また、図２５に示すように、コア本体部７は、第３開口７０６の下方Ｚ２に、後述する第２シェル片５２の締結片５２３を挿入するための第４開口７０７を有している。第２シェル片５２の締結片５２３は、図１８に示すように第４開口７０７内に挿入されている。締結片５２３は、締結部材としてのネジ７０１ｄ（図１６参照）を介してコア本体部７に締結されている。
【００９４】
図１５に示すように、コア本体部７における透光部６１を除く部分、つまり、第１コア片７ａ、第２コア片７ｂ及びセルホルダー６３は、シェル部５によって覆われている。本例のシェル部５は、第１シェル片５１と、第２シェル片５２と、第３シェル片５３とを有している。第１シェル片５１には、本体２の周縁部２１における上方Ｚ１の部分、より具体的には、図３に示すように、第１凸状部２１１ａから第４凸状部２１１ｄに亘る部分が含まれている。第１シェル片５１の全面は、導電性めっき膜からなる第１電極５１１によって覆われている。
【００９５】
図１５及び図３２に示すように、第１シェル片５１は、下方Ｚ２、つまり、コア本体部７側に突出した２本の端子片５１２、５１３を有している。２本の端子片５１２、５１３のうち左方Ｙ２に配置された第１端子片５１２は、図１８に示すようにコア本体部７の第１開口７０４に挿入されており、第１開口７０４内において第１配線部７２に締結されている。これにより、第１シェル片５１に設けられた第１電極５１１と第１配線部７２とが電気的に接続されている。
【００９６】
２本の端子片５１２、５１３のうち右方Ｙ１に配置された第２端子片５１３は、図１８に示すようにコア本体部７における第２開口７０５に挿入されており、第２開口７０５内において分配線部７５に締結されている。これにより、分配線部７５と第１シェル片５１に設けられた第１電極５１１とが電気的に接続され、更には分配線部７５と電源部４１とが第１配線部７２を介して電気的に接続されている。
【００９７】
また、図３３に示すように、第２端子片５１３は、厚み方向における第１シェル片５１の中央に配置されており、第１端子片５１２は、図１９及び図３３に示すように、本体２の厚み方向において、第２端子片５１３よりも第１コア片７ａ側に偏った位置に配置されている。
【００９８】
第２シェル片５２には、本体２の周縁部２１における右方Ｙ１の部分、より具体的には、図３に示すように、第１凸状部２１１ａにおける下方Ｚ２の部分と第１凹状部２１２ａが含まれている。第２シェル片５２の全面は、導電性めっき膜からなる第１電極５２１によって覆われている。
【００９９】
図１５及び図３４に示すように、第２シェル片５２は、第１凹状部２１２ａから左方Ｙ２、つまり、コア本体部７側に突出した第３端子片５２２と締結片５２３とを有している。図１８に示すように、第３端子片５２２は、コア本体部７における第３開口７０６に挿入されており、第３開口７０６内において分配線部７５に締結されている。これにより、第２シェル片５２の表面に設けられた第１電極５２１と分配線部７５とが電気的に接続され、更には第１電極５２１と電源部４１とが第１シェル片５１の表面に設けられた第１電極５１１及び第１配線部７２を介して電気的に接続されている。
【０１００】
図３４に示すように、締結片５２３は、第３端子片５２２の下方Ｚ２に配置されている。締結片５２３は、図１８に示すように、コア本体部７における第４開口７０７内に挿入されており、第４開口７０７内において締結部材としてのネジ７０１ｄ（図１６参照）を介してコア本体部７に締結されている。
【０１０１】
また、図２６に示すように、第２シェル片５２の下端には、切り欠き５２４が設けられている。切り欠き５２４は、第２シェル片５２と第３シェル片５３との合わせ目５０３に対面する位置に設けられており、液体を流通可能に構成されている。第２シェル片５２の切り欠き５２４の周辺には、第２シェル片５２と第３シェル片５３との合わせ目５０３が配置されている。
【０１０２】
そのため、切り欠き５２５は、前述した合わせ目５０３を含む連通口５０を介して美容器１の外部空間に連通している。それ故、本例の美容器１は、第２シェル片５２の切り欠き５２４内に浸入した液体を、連通口５０から美容器１の外部へ排出することができる。このように、本例の美容器１は、第２シェル片５２に設けられた切り欠き５２４を、水抜き孔４０として機能させることができる。
【０１０３】
図３及び図１５に示すように、第３シェル片５３は、本体２の外表面における第１シェル片５１、第２シェル片５２及び透光部６１以外の部分を構成している。つまり、第３シェル片５３には、２枚の主面部２０と、第６凸状部２１１ｆ分とが含まれている。第３シェル片５３の全面は、導電性めっき膜からなる第２電極５３１から構成されている。
【０１０４】
図３５及び図３６に示すように、第３シェル片５３は、コア本体部７側に突出し、上下方向Ｚに延設された４本のガイド部５３２と、各ガイド部５３２の上端に設けられ、上方Ｚ１に突出したガイド突起５３３とを有している。４本のガイド部５３２のうち２本のガイド部５３２は、第１コア片７ａの溝７４ａ（図２７参照）内に配置されており、残る２本のガイド部５３２は、第２コア片７ｂの溝７４ｂ（図３０参照）内に配置されている。
【０１０５】
ガイド部５３２は、第３シェル片５３をコア本体部７へ取り付ける際に、第３シェル片５３を所定の位置に案内することができる。即ち、第３シェル片５３をコア本体部７に取り付ける際に、図１０に示すように、これらのガイド部５３２を溝７４内に挿入しつつ第３シェル片５３を上方Ｚ１へ滑動させることにより、第３シェル片５３を溝７４に沿って案内し、所定の位置へ取り付けることができる。
【０１０６】
各ガイド部５３２のガイド突起５３３は、図３７に示すように、溝７４（７４ａ、７４ｂ）の段部７４１ａ、７４１ｂ）に設けられたガイド突起挿入孔７４２ａ、７４２ｂ（図２９及び図３０参照）内に挿入されている。ガイド突起５３３は、図３７に示すように段部７４１ａ、７４１ｂにおいてコア本体部７と係合することにより、コア本体部７から離れる方向への第３シェル片５３の変形、例えば、第３シェル片５３の厚み方向外方への反り等を規制することができる。
【０１０７】
また、図３６に示すように、第３シェル片５３は、コア本体部７側に突出した係合凹部５３４を有している。これらの係合凹部５３４は、第１コア片７ａ及び第２コア片７ｂに設けられた係合突起７０８（図２７及び図３０参照）と係合されている。これにより、第３シェル片５３の上下方向Ｚへの変位を規制することができる。
【０１０８】
シェル部５は、その外表面に開口した連通口５０を有している。具体的には、本例のシェル部５においては、図１に示す、第１シェル片５１と第２シェル片５２との合わせ目５０１、第１シェル片５１と第３シェル片５３との合わせ目５０２、第２シェル片５２と第３シェル片５３との合わせ目５０３、第１シェル片５１と透光部６１との合わせ目５０４、第３シェル片５３と透光部６１との合わせ目５０５に、液体を流通可能な隙間が形成されている。それ故、合わせ目５０１〜５０５は連通口５０としての機能を有している。
【０１０９】
また、図９に示すように、シェル部５における第１凸状部２１１ａを構成する部分には、２か所のシャフト挿入孔５０６が設けられている。シャフト挿入孔５０６には、コア本体部７の筒状部７０３が挿入されており、筒状部７０３とシャフト挿入孔５０６との間には、液体を流通可能な隙間が形成されている。それ故、シャフト挿入孔５０６は、連通口５０としての機能を有している。
【０１１０】
本例の美容器１において、２個の回転体３は、コア本体部７に設けられた回転体保持部８により、回転可能に保持されている。図１１に示すように、各回転体保持部８は、コア本体部７に保持されコア本体部７の外方まで延設されたシャフト８１と、シャフト８１の先端部８１３を覆うように配置されたベアリングホルダー８３と、ベアリングホルダー８３とシャフト８１との間に介在する２個のベアリング８２（８２ａ、８２ｂ）と、を有している。回転体３は、ベアリングホルダー８３に取り付けられている。
【０１１１】
シャフト８１は、ステンレス鋼から構成されており、導電性を有している。シャフト８１は、コア本体部７における第１コア片７ａと分配線部７５との間に狭持された基端部８１１と、基端部８１１に連なりコア本体部７の筒状部７０３内に覆われた中間部８１２と、中間部８１２に連なりコア本体部７の外部に突出した先端部８１３と、を有している。
【０１１２】
シャフト８１の先端部８１３には、２個のベアリング８２（８２ａ、８２ｂ）が間隔をあけて配置されている。ベアリング８２は導電性を有する樹脂から構成されている。また、２個のベアリング８２のうち先端側のベアリング８２ａは、Ｃリング８２１によってシャフト８１からの抜け止めがなされている。
【０１１３】
２個のベアリング８２は、ベアリングホルダー８３によってシャフト８１に摺動可能に保持されている。ベアリングホルダー８３は、導電性を有する樹脂からなり、筒状を呈している。
【０１１４】
また、ベアリングホルダー８３には、回転体３が着脱可能に取り付けられている。回転体３は、その外表面を構成する外皮部３０１と、外皮部３０１内に埋設された第１芯材３０２及び第２芯材３０３と、を有している。外皮部３０１の表面は、三角形状を呈する多数の平面から構成されており、これらの平面が全体として球状を呈するように互いに連なっている。第１芯材３０２は、本体２側に開口したカップ状を呈している。また、第２芯材３０３は環状を呈しており、第１芯材３０２に重ね合わされている。ベアリングホルダー８３は、第１芯材３０２及び第２芯材３０３の内側に収容され、スナップフィットによって着脱可能に取り付けられている。
【０１１５】
回転体３の表面に設けられた第３電極３１１は、導電性を有するベアリングホルダー８３、ベアリング８２及びシャフト８１を介して分配線部７５に電気的に接続され、更には第１シェル片５１の表面に設けられた第１電極５１１及び第１配線部７２を介して電源部４１に電気的に接続されている。
【０１１６】
本例の美容器１は、種々の態様で使用することができる。例えば、頬及び目元のリフトアップを行う場合には、本体２の第１凹状部２１２ａを法令線に沿って頬に押し当てるとともに、２個の回転体３のうち下方Ｚ２に配置された回転体３（図２参照）を目元に押し当てる。そして、美容器１を頬に沿って押し当てながら左右に往復移動することにより、第１凹状部２１２ａを頬の膨らみに沿って摺動させると同時に当該回転体３を目元において転動させることができる。これにより、比較的皮膚の厚い頬にかっさを施して血流を促進させることができる。更に、かっさと同時に回転体３を比較的皮膚の薄い目元に転動させ、エステティシャンによるマッサージのような柔らかな刺激を与えて目元をほぐすことができる。
【０１１７】
このマッサージを行う際、頬には第２シェル片５２に設けられた第１電極５２１が、目元には回転体３に設けられた第３電極３１１がそれぞれ当接する。そのため、第３シェル片５３を把持して前述のマッサージを行うことにより、第３シェル片５３に設けられた第２電極５３１と、第１電極５２１、第３電極３１１、電源部４１及び人体とを含む環状の電流経路が形成され、当該電流経路に微弱な電流を流すことができる。そして、前述したマッサージの効果と微弱な電流による効果とが相乗的に作用することにより、頬のリフトアップをより効果的に行うことができる。
【０１１８】
あごの引き締めを行う場合には、２個の回転体３のうち上方Ｚ１に配置された回転体３（図２参照）を口元側に向けつつ、第１頂部２２と第２頂部２３との間にあごが挟まれるようにして本体２及び当該回転体３を顔に押し当てる。そして、美容器１をあごに沿って押し当てながら往復移動することにより、本体２の周縁部２１における、第１頂部２２の上端２２１から第２頂部２３の上端２３１までに亘る部分をあごに沿って摺動させると同時に、当該回転体３を口元に沿って転動させることができる。これにより、比較的皮膚の厚いあごに沿う部分にかっさを施して血流を促進させることができる。更に、かっさと同時に回転体３を比較的皮膚の薄い口元に転動させ、エステティシャンによるマッサージのような柔らかな刺激を与えて当該部分をほぐすことができる。
【０１１９】
このマッサージを行う際、あごには第１シェル片５１に設けられた第１電極５１１が、口元には第３電極３１１がそれぞれ当接する。そのため、第３シェル片５３を把持して前述のマッサージを行うことにより、第３シェル片５３に設けられた第２電極５３１と、第１電極５１１、第３電極３１１、電源部４１及び人体とを含む環状の電流経路が形成され、当該電流経路に微弱な電流を流すことができる。そして、前述したマッサージの効果と微弱な電流による効果とが相乗的に作用することにより、あごの引き締めをより効果的に行うことができる。
【０１２０】
本例の美容器１は、前述したように、本体２の周縁部２１と回転体３とを同時に肌に押し当ててマッサージを行う方法以外に、かっさを単独で行う方法や、回転体３によるマッサージを単独で行う方法を実施することもできる。例えばかっさを単独で行う場合には、本体２における第２頂部２３や尾部２４等を肌に押し当てながら美容器１を往復移動させることにより、本体２が押し当てられた部分に適度な刺激を与えて血流を促進させることができる。
【０１２１】
また、回転体３によるマッサージを単独で行う場合には、例えば、いずれかの回転体３を目元に押し当てながら美容器１を左右に往復移動することにより、比較的皮膚の薄い目元に沿う部分にエステティシャンによるマッサージのような柔らかな刺激を与えて当該部分をほぐすことができる。
【０１２２】
本例の美容器１は、２個の回転体３を同時に肌に押し当てて往復移動させることにより、２個の回転体３の間に肌を摘み上げるマッサージを行うこともできる。例えば、目元の皮膚を摘み上げるマッサージを行う場合には、２個の回転体３が縦方向に並ぶようにして目元に押し当てる。そして、この状態で、美容器１を目元に沿って左右に往復移動することにより、目元の皮膚を摘み上げて血流を促進させることができる。
【０１２３】
また、かっさを単独で行う場合、回転体３によるマッサージを単独で行う場合、２個の回転体３により肌を摘み上げるマッサージを行う場合のいずれにおいても、第２シェル片５２を把持して当該マッサージを行うことにより、肌に微弱な電流を流し、マッサージの効果をより高めることができる。
【０１２４】
このように、本例の美容器１は、肌への押し当て方を適宜変更することにより、種々のマッサージを行うことができるように構成されている。
【０１２５】
次に、本例の作用効果を説明する。本例の美容器１は、電源部４１を備えたコア部４と、コア部４に着脱可能に取り付けられたシェル部５と、を有している。また、シェル部５は、第１電極５１１、５２１と第２電極５３１とを有している。そのため、何らかの理由で第１電極５１１、５２１や第２電極５３１が損傷した場合に、シェル部５を交換するという単純な作業により、美容器１を容易に修復することができる。
【０１２６】
特に、本例の美容器１は、本体２の外表面のほぼ全体、つまり、透光部６１を除く部分に第１電極５１１、５２１及び第２電極５３１が設けられている。そのため、本体２の外表面に占める電極の面積の割合が低い場合に比べて、第１電極５１１、５２１及び第２電極５３１が損傷を受ける可能性が高い。しかし、このような場合であっても、シェル部５を着脱可能に構成することにより美容器１を容易に修復することができるため、美容器１の使い勝手を向上させることができる。
【０１２７】
また、本例の美容器１においては、シェル部５をコア部４から取り外した後に、コア部４を交換することもできる。そのため、例えば、美容器の外表面に露出した透光部６１が損傷を受けた場合や、電源部４１に故障が発生した場合などに、これらの部品をコア部４ごと交換するという単純な作業により、美容器１を容易に修復することができる。
【０１２８】
更に、本例の美容器１においては、コア部４を構成する部品のうち、電源封止部６とコア本体部７とが図１６に示すネジ７０１ｅ、７０１ｆを介して締結されている。また、コア本体部７を構成する第１コア片７ａと第２コア片７ｂとが、図１６に示すネジ７０１ａ〜７０１ｇを介して締結されるとともに、図１７に示す接着シート７０２を介して接着されている。
【０１２９】
そのため、ネジ７０１ａ〜７０１ｇを取り外した後、第２コア片７ｂを第１コア片７ａから引きはがすことにより、コア部４を容易に分解することができる。そして、このようにしてコア部４を分解することにより、電源部４１を備えた電源封止部６や、電源部４１から肌に至る電流の経路となる第１配線部７２、第２配線部７３、分配線部７５、回転体保持部８を露出させることができる。それ故、本例の美容器１によれば、電源封止部６や前述した電源部４１から肌に至る電流の経路となる部品が劣化した場合などに、これらの部品を交換し、美容器１を容易に修復することができる。
【０１３０】
また、美容器１は、美容器１の外部から電源部４１への液体の進入を防止するための電源封止部６を有している。そのため、例えば浴室等の水濡れし得る環境において美容器１を使用する場合に、電源部４１の水濡れによる故障を防止することができる。また、使用者がリラックスできる浴室等の環境において美容器１を使用することにより、美容効果をより高めることが期待できる。
【０１３１】
コア部４は、電源部４１を液密に封止する電源封止部６と、電源封止部６を保持するコア本体部７と、を有し、コア本体部７は、電源部４１と第１電極５１１、５２１とを接続する第１配線部７２と、電源部４１と第２電極５３１とを接続する第２配線部７３と、を有している。そのため、コア部４全体を液密に封止する場合に比べて簡素な構造で電源部４１の防水を行うことができる。それ故、美容器１の組み立て作業をより簡素化するとともに、製造コストをより低減することができる。
【０１３２】
コア本体部７は、半割状の第１コア片７ａと第２コア片７ｂを有しており、第１配線部７２及び第２配線部７３は、第１コア片７ａと第２コア片７ｂとの間に配置されている。そのため、第１コア片７ａと第２コア片７ｂとの間に第１配線部７２及び第２配線部７３を挟み込むという簡素な作業により、第１配線部７２及び第２配線部７３をコア本体部７に組み込むことができる。それ故、美容器１の組み立て作業をより簡素化することができる。
【０１３３】
また、本例のコア本体部７においては、筒状部７０３を有する第２コア片７ｂの厚みが、筒状部７０３を有しない第１コア片７ａに比べて厚くなっている。これにより、第２コア片７ｂの剛性を確保しつつ、第２コア片７ｂに、第１コア片７ａと組み合わせた際に第１開口７０４〜第４開口７０７や分配線収容空間７５０となる凹部を形成することができる。
【０１３４】
コア部４は、液体を流通可能に構成された水抜き孔４０が形成されており、シェル部５は、水抜き孔４０と美容器１の外部空間とを連通する連通口５０を有している。そのため、コア部４とシェル部５との間に液体が浸入した場合に、水抜き孔４０によって当該液体を連通口５０へ導くことができる。そして、コア部４内の液体を連通口５０から美容器１の外部へ速やかに排出することができる。その結果、第１電極５１１、５２１と第２電極５３１とが液体を介して短絡している状態を速やかに解除し、第１電極５１１、５２１と、第２電極５３１と、電源部４１と、人体とを含む環状の電流経路を回復させることができる。
【０１３５】
美容器１は、更に、シェル部５の外方に配置された回転可能な回転体３を有している。そのため、美容器１は、シェル部５を肌に押し当てながら移動させるかっさと、回転体３を肌に押し当てながら転動させる方法との２種類のマッサージを実施することができる。
【０１３６】
また、回転体３は、その表面に、電源部４１に電気的に接続された第３電極３１１を有しており、第３電極３１１を通じて肌に微弱な電流を流すことができる。そのため、回転体３による物理的なマッサージ効果と微弱な電流による刺激とを相乗的に作用させ、より美容効果を高めることができる。
【０１３７】
また、これらのマッサージは、肌に与える刺激の強さが異なっている。そのため、前記美容器１は、例えば目元や頬骨に沿う部分などの比較的皮膚の薄い部分に回転体３によるマッサージを施して比較的柔らかな刺激を与え、頬やあご等の比較的皮膚の厚い部分にかっさを施して比較的強い刺激を与える等、マッサージを施す部位に応じて適切な刺激を与えることができる。それ故、前記美容器１に回転体３を設けることにより、使い勝手をより向上させることができる。
【０１３８】
回転体３は、コア部４に着脱可能に取り付けられている。そのため、回転体３の表面に設けられた第３電極３１１が何らかの理由で損傷を受けた際に、回転体３ごと第３電極３１１を交換することができる。そのため、第３電極３１１の修理作業をより容易に行うことができる。
【０１３９】
また、図１９及び図３３に示すように、第１シェル片５１の第２端子片５１３は厚み方向における第１シェル片５１の中央に配置されている。また、第１端子片５１２は、厚み方向において第２端子片５１３よりも第１コア片７ａ側に偏った位置に配置されている。つまり、第１端子片５１２と第２端子片５１３との間には段差が形成されている。
【０１４０】
そのため、第１端子片５１２と第２端子片５１３との間に段差がない場合に比べて、第１端子片５１２から第２端子片５１３までの沿面距離、つまり、コア本体部７の内表面に沿った距離を維持しつつ、正面視における第１端子片５１２から第２端子片５１３までの距離を近づけることができる。
【０１４１】
このように、第１端子片５１２から第２端子片５１３までの沿面距離を十分に長くすることにより、第１端子片５１２と第２端子片５１３との短絡を抑制することができる。更に、正面視における第１端子片５１２から第２端子片５１３までの距離を近づけることにより、第１シェル片５１、ひいては美容器１全体の幅方向Ｙの外形寸法をより低減することができる。これらの結果、本例の美容器１によれば、第１端子片５１２と第２端子片５１３との間に段差がない場合に比べて、第１端子片５１２と第２端子片５１３との短絡を抑制しつつ、幅方向Ｙへの小型化をより容易に行うことができる。
【０１４２】
本発明に係る美容器１の具体的な態様は、実施例に示した態様に限定されるものではなく、本発明の趣旨を損なわない範囲で適宜変更することができる。例えば、実施例においては、回転体３を有する美容器１の例を示したが、回転体３を設けないことも可能である。また、回転体３の表面に設けられた第３電極３１１は、実施例に示したように第１電極５１１を介して電源部４１に接続されていてもよいし、第１電極５１１とは別の電流経路を介して電源部４１に接続されていてもよい。
【符号の説明】
【０１４３】
１  美容器
４  コア部
４１  電源部
５  シェル部
５１１、５２１  第１電極
５３１  第２電極
【図１】
2019130028.tif 000003
【図２】
2019130028.tif 000004
【図３】
2019130028.tif 000005
【図４】
2019130028.tif 000006
【図５】
2019130028.tif 000007
【図６】
2019130028.tif 000008
【図７】
2019130028.tif 000009
【図８】
2019130028.tif 000010
【図９】
2019130028.tif 000011
【図１０】
2019130028.tif 000012
【図１１】
2019130028.tif 000013
【図１２】
2019130028.tif 000014
【図１３】
2019130028.tif 000015
【図１４】
2019130028.tif 000016
【図１５】
2019130028.tif 000017
【図１６】
2019130028.tif 000018
【図１７】
2019130028.tif 000019
【図１８】
2019130028.tif 000020
【図１９】
2019130028.tif 000021
【図２０】
2019130028.tif 000022
【図２１】
2019130028.tif 000023
【図２２】
2019130028.tif 000024
【図２３】
2019130028.tif 000025
【図２４】
2019130028.tif 000026
【図２５】
2019130028.tif 000027
【図２６】
2019130028.tif 000028
【図２７】
2019130028.tif 000029
【図２８】
2019130028.tif 000030
【図２９】
2019130028.tif 000031
【図３０】
2019130028.tif 000032
【図３１】
2019130028.tif 000033
【図３２】
2019130028.tif 000034
【図３３】
2019130028.tif 000035
【図３４】
2019130028.tif 000036
【図３５】
2019130028.tif 000037
【図３６】
2019130028.tif 000038
【図３７】
2019130028.tif 000039
【図３８】
2019130028.tif 000040